(57)【要約】【課題】  送水管の管内水圧を日常的に監視することができるようにして、スプリンクラーヘッドが正常に動作するか否かの判断を容易にする。【解決手段】  スプリンクラーヘッドＨを備える無端ループ状の一次管路５１と、分岐管路７１と、排水用の二次管路８１と、三方切換え弁１００とを有する。三方切換え弁１００が、二次管路８１を一次管路５１から遮断する第１切換えモードと、二次管路８１に一次管路５１を接続する第２切換えモードと、を選択する機能を有する。一次管路５１に一次圧力計５８を装備させる。二次管路８１に、定流量弁８２と二次圧力計８３とを装備させる。一次管路５１の定形配管部５７、分岐管７０、排水管８０などうユニット化する。【選択図】        図１
2011024873.tif 000002
【特許請求の範囲】
【請求項１】
スプリンクラーヘッドを装備している送水管が、水道メータが介在されて一般給水器具に接続されている水道給水管における水道メータ接地箇所の下流側部位に分岐して接続されている特定施設水道連結型スプリンクラー設備装置であって、
上記送水管によって形成されて、全部の上記スプリンクラーヘッドを備える主管路と、この主管路の一端及び他端にそれぞれ接続されている中間管路と、これらの中間管路同士を接続している部分管路と、を有してなる無端ループ状の一次管路と、
上記水道給水管を水道メータ接地箇所の下流側部位で上記部分管路の一端に接続している分岐管路と、
上記送水管とは異なる配管によって形成された排水用の二次管路と、
この二次管路に上記部分管路の他端を接続している中継管路と、
流路切換え弁機構と、を含み、
上記流路切換え弁機構は、上記部分管路を連通させて上記中継管路を遮断する第１切換えモードと、上記部分管路を遮断して上記中継管路を連通させる第２切換えモードと、を択一的に選択する機能を有してなることを特徴とする特定施設水道連結型スプリンクラー設備装置。
【請求項２】
上記流路切換え弁機構が、上記部分管路の他端と上記中継管路との接続箇所に介在された三方切換え弁でなり、この三方切換え弁が、上記第１切換えモードと上記第２切換えモードとを択一的に選択する機能を有する請求項１に記載した特定施設水道連結型スプリンクラー設備装置。
【請求項３】
上記流路切換え弁機構が、上記部分管路に介在された開閉弁と、上記中継管路に介在された開閉弁と、の組み合わせでなる請求項１に記載した特定施設水道連結型スプリンクラー設備装置。
【請求項４】
上記水道給水管に、上記水道メータ設置箇所から一般給水器具側に向かう水流を通過させ、かつ、一般給水器具側から上記水道メータ設置箇所に向かう水の逆流を阻止する第１逆止弁が介在され、上記分岐管路に、上記水道メータ設置箇所から上記部分管路の一端に向かう水流を通過させ、かつ、上記部分管路の一端から上記水道メータ設置箇所に向かう水の逆流を阻止する第２逆止弁が介在されている請求項１ないし請求項３のいずれか１項に記載した特定施設水道連結型スプリンクラー設備装置。
【請求項５】
上記分岐管路に水抜き用の開閉弁が介在されている請求項４に記載した特定施設水道連結型スプリンクラー設備装置。
【請求項６】
上記中間管路に、上記一次管路内水圧を表示する一次圧力計が装備されている請求項１ないし請求項５のいずれか１項に記載した特定施設水道連結型スプリンクラー設備装置。
【請求項７】
上記二次管路に、当該二次管路の流量を、１個分の上記スプリンクラーヘッドの単位時間当りの放水量と同等の流量に制限する定流量弁と、上記二次管路内水圧を表示する二次圧力計と、を装備させてある請求項６に記載した特定施設水道連結型スプリンクラー設備装置。
【請求項８】
上記一次管路を形成している送水管に、上記部分流路とこの部分流路の一端及び他端にそれぞれ連通されている上記中間管路とを形成している定形配管部が備わり、
この定形配管部と、上記中継管路を形成する中継管と、上記分岐管路を形成する分岐管と、上記二次管路を形成している排水管と、上記流路切換え弁機構と、上記一次圧力計と、上記二次圧力計とが、それらに共通のパネル部材に取り付けられて送水配管ユニットを構成している請求項７に記載した特定施設水道連結型スプリンクラー設備装置。
【請求項９】
上記分岐管に給水口が設けられ、上記排水管に排水口が設けられている請求項８に記載した特定施設水道連結型スプリンクラー設備装置。
【発明の詳細な説明】
【技術分野】
【０００１】
本発明は、スプリンクラー装置、特に、スプリンクラーヘッドを装備している送水管が、水道メータの介在された水道給水管における水道メータ接地箇所の下流側部位に接続されている特定施設水道連結型スプリンクラー設備装置に関する。
【背景技術】
【０００２】
この種のスプリンクラー装置は水道直結型と呼ばれていて、一般住宅、福祉施設、老人介護施設などを対象として設置されることが多い。従来より、この種の水道直結型のスプリンクラー装置としては、図６に示した湿式閉鎖型スプリンクラー装置Ｓ１と、図７に示した乾式閉鎖型スプリンクラー装置Ｓ２とが知られていた。
【０００３】
図６及び図７において、１は公設水道配水管であり、この公設水道配水管１から分岐して宅内に引き込まれた水道給水管２に宅内の水回り箇所に設置される各種の一般給水器具の水栓（不図示）が接続されている。この水道給水管２には、止水弁２１や水道メータ２２などが介在されている。なお、図６及び図７において、符号Ｂは警報ブザーを示している。
【０００４】
そして、図６に示した湿式閉鎖型スプリンクラー装置Ｓ１は、水道メータ設置箇所の下流側部位で水道給水管２に単管方式で送水管３が分岐接続されている。送水管３には所要数のスプリンクラーヘッド４が装備されていて、それらのスプリンクラーヘッド４が住宅の天井などに設置される。また、湿式閉鎖型スプリンクラー装置Ｓ１において、上記送水管３の末端には水洗便器の水栓３１などが取り付けられている。この湿式閉鎖型スプリンクラー装置Ｓ１では、原則として、スプリンクラーヘッド４を備えている送水管３の管路に、水道水が常時供給されている。
【０００５】
また、図７に示した乾式閉鎖型スプリンクラー装置Ｓ２にあっても、水道メータ設置箇所の下流側部位で水道給水管２に単管方式で送水管３が分岐接続されている。そして、この送水管３に所要数のスプリンクラーヘッド４が装備されている。この乾式閉鎖型スプリンクラー装置Ｓ２では、送水管３の始部に三方切換え型の電動弁３２が介在されていて、この電動弁３２とスプリンクラーヘッド４とが制御盤５を介して電気的に接続されている。３３はテスト弁である。この乾式閉鎖型スプリンクラー装置Ｓ２において、スプリンクラーヘッド４を備えている送水管３の管路には、制御盤５からの制御信号で動作する電動弁３２の作用により必要に応じて水道水が供給されるのであって、常態時には、送水管３の管路への送水が遮断されている。
【０００６】
一方、水道水を使用する住宅用のスプリンクラー消火設備として、所要数のスプリンクラーヘッドを装備させた単管路の始部と終部とを、宅内の一般給水器具の水栓につながっている水道給水管の管路の異なる２箇所に接続しておき、バイパス弁装置の開閉操作により、水道水をスプリンクラーを装備している上記単管路に給送することと、一般給水器具に給送することとを択一的に選択するようにしたものが知られている（たとえば、特許文献１参照）。
【先行技術文献】
【特許文献】
【０００７】
【特許文献１】特公平６−１３０５５号公報
【発明の概要】
【発明が解決しようとする課題】
【０００８】
しかしながら、図７に示した乾式閉鎖型スプリンクラー装置Ｓ２では、火災時感知信号に基づく制御盤５の動作を介して電動弁３２が開かれることにより、送水管３を経てスプリンクラーヘッド４に給水が行われるものであるために、停電時にはスプリンクラーヘッド４からの放水が行われなくなるという問題があった。
【０００９】
また、図６又は図７に示した湿式型又は乾式型の閉鎖型スプリンクラー装置Ｓ１，Ｓ２は、いずれも、送水管３の管内水圧を定常的に確認することができないために、火災発生時などの必要時にスプリンクラーヘッドが正常に動作するか否かを目視によって日常的に監視することができないという問題があった。
【００１０】
さらに、上掲の特許文献１によって提案されているスプリンクラー消火設備は、バイパス弁装置の開閉操作により、水道水をスプリンクラーに給送することと、一般給水器具に給送することとを択一的に選択するものであるので、火災発生時などには、住人の咄嗟の判断でバイパス弁装置が適切に開閉操作されるとは限らず、そのバイパス弁装置が適切に開閉操作されなかったときには、スプリンクラーヘッドから放水されなくなるということになりかねない。
【００１１】
本発明は、以上の状況や問題に鑑みてなされたものであり、公設水道配水管に十分な水圧で給水が行われておりさえすれば、火災時のスプリンクラーヘッドの初期放水量を十分に確保することのできる特定施設水道連結型スプリンクラー設備装置を提供することを目的とする。
【００１２】
また、本発明は、水道給水管によって供給される水道水を利用しているにもかかわらず、スプリンクラーヘッドを備える送水管の管内水圧を日常的に目視により監視することのできる対策を講じることによって、スプリンクラーヘッドが正常に動作するか否かの判断が容易になる特定施設水道連結型スプリンクラー設備装置を提供することを目的とする。
【００１３】
さらに、本発明は、スプリンクラー装置を動作させるための一切の電源を不要にすることのできる特定施設水道連結型スプリンクラー設備装置を提供することを目的とする。
【００１４】
さらに、本発明は、日常点検を容易に行うことのできる特定施設水道連結型スプリンクラー設備装置を提供することを目的とする。
【００１５】
さらに、本発明は、スプリンクラー装置の一部をユニット化することによって、スプリンクラーヘッドを備える送水管の管内水圧などの監視を容易に行うことができ、しかも、ユニット化による取付け性の改善効果を通じて、一般住宅や福祉施設、老人介護施設への当該特定施設水道連結型スプリンクラー設備装置の普及を促進しやすくすることを目的とする。
【課題を解決するための手段】
【００１６】
本発明に係るスプリンクラー装置は、スプリンクラーヘッドを装備している送水管が、水道メータが介在されて一般給水器具に接続されている水道給水管における水道メータ接地箇所の下流側部位に分岐して接続されている。
【００１７】
そして、上記送水管によって形成されて、全部の上記スプリンクラーヘッドを備える主管路と、この主管路の一端及び他端にそれぞれ接続されている中間管路と、これらの中間管路同士を接続している部分管路と、を有してなる無端ループ状の一次管路と、上記水道給水管を水道メータ接地箇所の下流側部位で上記部分管路の一端に接続している分岐管路と、上記送水管とは異なる配管によって形成された排水用の二次管路と、この二次管路に上記部分管路の他端を接続している中継管路と、流路切換え弁機構と、を含み、上記流路切換え弁機構は、上記部分管路を連通させて上記中継管路を遮断する第１切換えモードと、上記部分管路を遮断して上記中継管路を連通させる第２切換えモードと、を択一的に選択する機能を有してなる。
【００１８】
この構成であると、常態時に流路切換え弁機構を第１切換えモードに設定しておくと、水道給水管に接続されている一般給水器具に給水がなされているか否かに関係なく、一次管路に水が給水される。しかも、一次管路が無端ループ状に形成されていることにより、スプリンクラーヘッドからの放水がなされていない常態時には、分岐管路に分岐状に接続されている一次管路の２方向に水圧が作用することになる。そのため、一次管路の水圧は、水道給水管の管内水圧が十分に高く保たれているとき、言い換えると、公設水道配水管に十分な水圧で給水が行われているときには、一般給水器具で水道水が使われたとしてもそれほど低下することはない。したがって、スプリンクラーヘッドが火災を感知したときに十分な量の初期放水量が得られるようになる。
【００１９】
また、常態時に流路切換え弁機構を第２切換えモードに設定すると、分岐管路と一次管路と中継管路と二次管路とによって一方向の流路が形成される。したがって、流路切換え弁機構を第２切換えモードに設定することにより、一次管路を水道水で満たすことが可能になる。また、一次管路に溜まっていた水をドレンとして排水することも可能である。
【００２０】
本発明では、上記流路切換え弁機構が、上記部分管路の他端と上記中継管路との接続箇所に介在された三方切換え弁でなり、この三方切換え弁が、上記第１切換えモードと上記第２切換えモードとを択一的に選択する機能を有する、という構成を採用することが可能である。三方切換え弁には、手動タイプと電動タイプとを選択することが可能であり、手動タイプを選択することによって、スプリンクラーヘッドの初期動作（放水開始）を行わせるための一切の電源が不要になる。
【００２１】
本発明では、上記流路切換え弁機構が、上記部分管路に介在された開閉弁と、上記中継管路に介在された開閉弁と、の組み合わせでなるという構成を採用することも可能である。この発明において、流切換え弁機構としての開閉弁には、三方切換え弁を採用した場合と同様に手動タイプと電動タイプとを選択することが可能であり、手動タイプを選択することによって、スプリンクラーヘッドの初期動作（放水開始）を行わせるための一切の電源が不要になる。
【００２２】
本発明では、上記水道給水管に、上記水道メータ設置箇所から一般給水器具側に向かう水流を通過させ、かつ、一般給水器具側から上記水道メータ設置箇所に向かう水の逆流を阻止する第１逆止弁が介在され、上記分岐管路に、上記水道メータ設置箇所から上記部分管路の一端に向かう水流を通過させ、かつ、上記部分管路の一端から上記水道メータ設置箇所に向かう水の逆流を阻止する第２逆止弁が介在されていることが望ましい。この構成であれば、第１逆止弁によって一般給水器具からの水の逆流が阻止され、第２逆止弁によって一次管路からの水の逆流が阻止される。そのため、一般給水器具の使用時に、一次管路に供給されている火災時の散水に使われる水道水が一般給水器具側に供給されるという不都合が起こらない。
【００２３】
本発明では、上記分岐管路に水抜き用の開閉弁が介在されていることが望ましい。この構成であれば、一般給水器具が使用中であっても、一次管路の水抜きを行うことが可能になるので、スプリンクラーヘッドのメンテナンスてなどに際して便利である。
【００２４】
本発明では、上記中間管路に、上記一次管路内水圧を表示する一次圧力計が装備されていることが望ましい。この構成を採用すると、常態時の一次管路内水圧が一次圧力計によって常時表示されるので、住人が送水管の管内水圧を日常的に目視により監視することができるようになる。その結果、スプリンクラーヘッドが正常に動作するか否かの判断が容易になる。
【００２５】
本発明では、上記二次管路に、当該二次管路の流量を、１個分の上記スプリンクラーヘッドの単位時間当りの放水量と同等の流量に制限する定流量弁と、上記二次管路内水圧を表示する二次圧力計と、を装備させてあることが望ましい。この構成であると、定流量弁と二次圧力計とそれらが介在されている二次管路とを、当該スプリンクラー装置についての末端試験装置として利用することが可能になる。すなわち、流路切換え弁機構を第２切換えモードに設定して、水道水を、分岐管路、一次管路、中継管路、二次管路、定流量弁に順に流して排水すると、そのときの二次管路の管内水圧が二次圧力計により表示されるので、その表示された値を視認することによって、流路切換え弁機構を第１切換えモードに設定しているときのスプリンクラーヘッドに作用する水道水の水圧が適切か否かを判断することが可能になる。その上、このような末端試験装置による当該スプリンクラー装置の試験稼働を、流路切換え弁機構を操作するだけで行うことができるようになるという利便性もあり、そのことが、当該スプリンクラー装置の日常点検を容易に行うことに役立つ。
【００２６】
本発明では、上記一次管路を形成している送水管に、上記部分流路とこの部分流路の一端及び他端にそれぞれ連通されている上記中間管路とを形成している定形配管部が備わり、この定形配管部と、上記中継管路を形成する中継管と、上記分岐管路を形成する分岐管と、上記二次管路を形成している排水管と、上記流路切換え弁機構と、上記一次圧力計と、上記二次圧力計とが、それらに共通のパネル部材に取り付けられて送水配管ユニットを構成していることが望ましい。このような送水配管ユニットを構成しておくと、当該送水配管ユニットを住宅ないし家屋の軒下や壁面などに据え付けることができるので、スプリンクラーヘッドを備える送水管の管内水圧などの監視を容易に集中的に行うことができるようになるという利点がある。また、ユニット化による取付け性の改善効果を通じて、一般住宅や福祉施設、老人介護施設への当該特定施設水道連結型スプリンクラー設備装置の普及を促進しやすくなるという利点がある。
【００２７】
本発明では、上記分岐管に給水口が設けられ、上記排水管に排水口が設けられていることが望ましい。
【発明の効果】
【００２８】
以上のように、本発明に係る特定施設水道連結型スプリンクラー設備装置によると、公設水道配水管に十分な水圧で給水が行われておりさえすれば、火災時のスプリンクラーヘッドの初期放水量を十分に確保することができる。そして、水道給水管によって供給される水道水を利用しているにもかかわらず、スプリンクラーヘッドを備える送水管の管内水圧を日常的に目視により監視することができるので、常態時にスプリンクラーヘッドが正常に動作するか否かの判断が容易になる。また、スプリンクラー装置を動作させるための一切の電源を不要にすることが可能であるという効果も得られる。そのほか、当該スプリンクラー装置の一部をユニット化することによって、スプリンクラーヘッドを備える送水管の管内水圧などの監視を容易に行うことができるようになり、ユニット化による取付け性の改善効果を通じて、一般住宅や福祉施設、老人介護施設への当該特定施設水道連結型スプリンクラー設備装置の普及を促進しやすくなるという効果も奏される。
【図面の簡単な説明】
【００２９】
【図１】本発明の実施形態に係るスプリンクラー装置の系統図である。
【図２】図１の要部を拡大して示した常態時での送水配管ユニットの正面図である。
【図３】図１の要部を拡大して示した末端試験装置使用時での送水配管ユニットの正面図である。
【図４】逆止弁や水抜き用の開閉弁を採用した事例の説明図である。
【図５】変形例による流路切換え弁機構を採用した送水配管ユニットの正面図である。
【図６】湿式閉鎖型スプリンクラー装置の従来例を示した系統図である。
【図７】乾式閉鎖型スプリンクラー装置を示した系統図である。
【発明を実施するための形態】
【００３０】
図１は本発明の実施形態に係るスプリンクラー装置Ｓの系統図である。図２は図１の要部を拡大して示した常態時での送水配管ユニットＵの正面図、図３は図１の要部を拡大して示した末端試験装置Ｔの使用時での送水配管ユニットＵの正面図である。
【００３１】
図１に示したスプリンクラー装置Ｓは、所要数のスプリンクラーヘッドＨを装備している送水管５０が水道給水管６０に分岐して接続されている。具体的には、公設水道配水管（不図示）に接続されている水道給水管６０が、宅内で図示のように一般給水器具の水栓（不図示）に接続されていると共に、水道給水管６０の１箇所に分岐接続された分岐管７０によって形成される分岐管路７１に、送水管５０によって形成される一次管路５１が接続されている。分岐管路７１は、水道給水管６０に介在されている水道メータ６１の設置箇所の下流側部位に接続されている。
【００３２】
送水管５０によって形成されている一次管路５１は無端ループ状に形作られている。すなわち、無端ループ状の一次管路５１は、全部の上記スプリンクラーヘッドＨを備える主管路５２と、この主管路５２の一端及び他端にそれぞれ接続されている中間管路５４，５５と、これらの中間管路５４，５５同士を接続している短い部分管路５６とを有している。上記主管路５２は住宅の天井などに設置される主管部５２ａによって形成され、上記中間管路５４，５５は上下方向に延びる２本の中間管部５４ａ，５５ａによって形成され、上記部分管路５６が部分管部５６ａによって形成されている。そして、無端ループ状の一次管路５１の１箇所、具体的には、部分管路５６の一端イに上記分岐管路７１が接続されている。
【００３３】
上記した送水管５０には、２本の中間管部５４ａ，５５ａのそれぞれの下端側の一部と部分管部５６ａとによってＵ字形に形作られた定形配管部５７が備わっている。したがって、この定形配管部５７が、部分管路５６とこの部分管路５６の一端及び他端にそれぞれ連通されている中間管路５４，５５の下端側の一部とを形成している。上記した配管系において、主管部５２ａには架橋ポリエチレン管、中間管部５４ａ，５５ａにはポリ粉体ライニング鋼管、定形配管部５７ないし後述する送水配管ユニットＵの配管にはすべて水道用ライニング鋼管を採用することが可能である。
【００３４】
図２又は図３に拡大して示したように、一方側の中間管路５４には、一次管路内水圧を表示する一次圧力計５８が装備されている。
【００３５】
部分管路５６の他端ロには、排水管８０によって形成される二次管路８１が接続されている。具体的には、部分管路５６の他端ロと二次管路８１とが、中継管９０によって形成されている中継管路９１で接続されている。そして、部分管路５６の他端ロと中継管路９１との接続箇所に、流路切換え弁Ｖとしての三方切換え弁１００が介在されている。図例の三方切換え弁１００は手動タイプであって、ハンドル１０１を正方向又は逆方向に９０度だけ回動操作するだけで、図２に示した第１切換えモードと、図３に示した第２切換えモードとを択一的に選択する機能を有している。
【００３６】
三方切換え弁１００が図２のように第１切換えモードに設定されているときが常態であり、この常態時には、部分管路５６が三方切換え弁１００の介在箇所で他方側の中間管路５５に連通し、中継管路９１が三方切換え弁１００の介在箇所で他方側の中間管路５５から遮断される。また、三方切換え弁１００が図３のように第２切換えモードに設定されている状態では、部分管路５６が三方切換え弁１００の介在箇所で他方側の中間管路５５から遮断され、中継管路９１が三方切換え弁１００の介在箇所で他方側の中間管路５５に連通される。
【００３７】
二次管路８１には、当該二次管路８１の流量を一定量に制限するための定流量弁８２と、二次管路内水圧を表示する二次圧力計８３とが設置されている。これらの定流量弁８２と二次圧力計８３と二次管路８１とは、当該スプリンクラー装置Ｓについての末端試験装置Ｔを構成している。
【００３８】
図１〜図３において、符号Ｐは矩形のパネル部材を示している。このパネル部材Ｐには、一次圧力計５８及び三方切換え弁１００とを有する上記定形配管部５７と、上記中継管９０と、上記分岐管７０と、上記排水管８０と、流路切換え弁機構Ｖとしての三方切換え弁１００と、上記一次圧力計５８と、上記二次圧力計８３とが取り付けられて送水配管ユニットＵを構成している。この送水配管ユニットＵにおいて、分岐管路７１に給水口７２が設けられ、二次管路８１に排水口８４が設けられている。図例において、送水配管ユニットＵに含まれる定形配管部５７の２本の中間管部５４，５５や分岐管７０、排水管８０などは、当該中間管部５４，５５や分岐管７０、排水管８０などの全長部分からその一部を分割することによって短く形成されている。なお、図１に示したように、図示例の送水配管ユニットＵは、同一の構成を有する２系統の定形配管部５７などを有している。
【００３９】
上記構成を有する実施形態のスプリンクラー装置では、常態時には、三方切換え弁１００が図２に示した第１切換えモードに設定されている。そして、一次管路５１（図１参照）には水が給水されていて、その管路内水圧が一次圧力計５８によって表示されている。一次圧力計５８によって表示される一次管路内水圧は、水道給水管６０の管内水圧が異常に低下していないとき、すなわち、水道給水管６０の管内水圧が、宅内で一般給水器具を支障なく使用することができる程度に十分に高く保たれているときには、一般給水器具で水道水が使われたとしてもそれほど低下することはない。したがって、住人は一次圧力計５８の表示を日常的に目視により監視することが可能になる。特にこの実施形態では、一次圧力計５８が送水配管ユニットＵに備わっているために、住人にとっては、一次圧力計５８の表示を日常的に目視により監視することが容易になるという利点がある。このことから、住人による監視が日常的に行われると、スプリンクラーヘッドＨが火災を感知したときに十分な量の初期放水量が得られるようになる。
【００４０】
一次管路５１に水を満たすための初期操作は次の手順で行うことができる。すなわち、三方切換え弁１００のハンドル１０１を図３のように逆方向に９０度回動させて第２切換えモードを設定することにより、水道給水管６０に供給されている水道水を、分岐管路７１、一次管路５１、中継管路９１及び二次管路８１によって形成される一方向流路に送り込み、二次管路８１から起泡混じりに水が排出されなくなった後で、三方切換え弁１００のハンドル１０１を正方向に９０度回動させて第１切換えモードを設定する。一次管路５１の水を入れ換えるときにも同様の操作を行う。
【００４１】
この実施形態では、一次管路５１が無端ループ状に形成されていることにより、スプリンクラーヘッドＨからの放水がなされていない常態時には、分岐管路７１に分岐状に接続されている一次管路５１の２方向に水圧が作用することになる。したがって、このスプリンクラー装置は２方向加圧システムを構成しているということになる。
【００４２】
この実施形態では、二次管路８１に介在されている定流量弁８２が、当該二次管路８１の流量を、１個分のスプリンクラーヘッドＨの単位時間当りの放水量と同等の流量に制限する機能を有している。そのため、スプリンクラー装置Ｓの日常点検に際して末端試験装置Ｔをメンテナンスに利用することが可能になる。すなわち、常態時の三方切換え弁１００のハンドル１０１を逆方向に９０度回動させることによって、図３のように三方切換え弁１００を第２切換えモードに設定すると、水道水が分岐管路７１を経て一次管路５１、中継管路９１、二次管路８１、定流量弁８２に流れて排水され、二次管路８１の管路内水圧が二次圧力計８３により表示されるので、その二次圧力計８３によって表示された値から三方切換え弁１００を第１切換えモードに設定しているときのスプリンクラーヘッドＨに作用する水道水の水圧が適切か否かを確認することが可能になる。その上、このような末端試験装置Ｔによるスプリンクラー装置Ｓの試験稼働を、三方切換え弁１００を操作するだけで行うことができるようになるという利便性もある。
【００４３】
以上説明した実施形態では、三方切替え弁９０として手動タイプを選択しているけれども、電動タイプの三方切換え弁を選択することも可能である。
【００４４】
また、この実施形態では、図１〜図３のように、分岐管路７１に緊急遮断弁７３を介在させている。こうしておくと、常態時に、何らかの理由でスプリンクラーヘッドＨが異常動作して不慮の放水が開始されたような場合に、緊急遮断弁７３を手動で閉じることによってそのような不慮の放水を即座に停止させることが可能になる。
【００４５】
図４は図１〜図３を参照して説明した上記実施形態の構成を基本として、その安全性や衛生面の向上を図った事例の説明図である。
【００４６】
図４の事例では、水道給水管６０に第１逆止弁６２を介在させている。この第１逆止弁６２は、水道メータ設置箇所から一般給水器具側に向かう水流を通過させ、かつ、一般給水器具側から上記水道メータ設置箇所に向かう水の逆流を阻止する機能を発揮する。また、分岐管路７１に第２逆止弁７４を介在させている。この第２逆止弁７４は、水道メータ設置箇所から部分管路５６の一端イに向かう水流を通過させ、かつ、部分管路５６の一端イから水道メータ設置箇所に向かう水の逆流を阻止する機能を発揮する。この構成を採用しておくと、一般給水器具の使用時に、一次管路５１に供給されている火災時の散水に使われる水道水が一般給水器具側に供給されるという不都合が起こらなくなり、スプリンクラー装置Ｓの安全性が向上し、併せて、衛生面の向上が図られる。
【００４７】
また、図４の事例では、上記した第１逆止弁７３や第２逆止弁７４を採用したことと併せて、分岐管路７１に水抜き用の開閉弁７５を介在させている。この構成を採用しておくと、一般給水器具が使用中であっても、一次管路５１の水抜きを行うことが可能になるので、スプリンクラーヘッドのメンテナンスてなどに際して便利である。
【００４８】
図５は変形例による流路切換え弁機構Ｖを採用した送水配管ユニットＵの正面図である。この送水配管ユニットＵでは、流路切換え弁機構Ｖが、部分管路５６に介在された開閉弁５９と、中継管路９１に介在された開閉弁９２との組み合わせでなる。そして、同図に実線で示したように、部分管路５６の開閉弁５９を開き、中継管路９１の開閉弁９２を閉じることによって上記した第１切換えモードが設定される。また、同図に仮想線で示したように、部分管路５６の開閉弁５９を閉じ、中継管路９１の開閉弁９２を開くことによって上記した第２切換えモードが設定される。図５の送水配管ユニットＵにおいても、図４で説明したところと同様に、水道給水管６０に第１逆止弁６２を介在させたり、分岐管路７１に第２逆止弁７４を介在させたり、分岐管路７１に水抜き用の開閉弁７５を介在させたりして安全性などを高めることは勿論可能である。
【００４９】
図１〜図５にあっては、同一又は相応する部分には同一の符号を付すことによって、説明の重複を回避した。
【符号の説明】
【００５０】
Ｈ  スプリンクラーヘッド
Ｐ  パネル部材
Ｓ  スプリンクラー装置
Ｕ  送水配管ユニット
Ｖ  流路切換え弁機構
５０  送水管
５１  一次管路
５２  主管路
５４，５５  中間管路
５６  部分管路
５７  定形配管部
５８  一次圧力計
５９  開閉弁
６０  水道給水管
６１  水道メータ
６２  第１逆止弁
７０  分岐管
７１  分岐管路
７２  給水口
７４  第２逆止弁
７５  開閉弁
８０  排水管
８１  二次管路
８２  定流量弁
８３  二次圧力計
８４  排水口
９０  中継管
９１  中継管路
９２  開閉弁
１００  三方切換え弁
イ  部分流路の一端
ロ  部分管路の他端
【図１】
2011024873.tif 000003
【図２】
2011024873.tif 000004
【図３】
2011024873.tif 000005
【図４】
2011024873.tif 000006
【図５】
2011024873.tif 000007
【図６】
2011024873.tif 000008
【図７】
2011024873.tif 000009